(57)【要約】【課題】  機能機具部分とリストバンドとが結着機能によって容易に着脱できるウエアラブ用リストバンドを提供することにある。【解決手段】  ウエアラブ用リストバンドを構成する装着ケース１０は、結着機能となる略十字形の結着用凹部に係止孔２０と、この係止孔２０に装着された小型装着機具（図示省略）を脱離するプッシュボタン３０を備えたプラットフォームである。また、装着ケース１０は、結着機能の他に、時計用ムーブメントや電子部品を収納する収納スペース及び表示スペース４０を備える。さらに、装着ケース１０は、市販の時計バンドを取り付けできる取付機能として、嵌合部５０を備える。【選択図】  図１
2015202214.tif 000002
【特許請求の範囲】
【請求項１】
時計の他に、通信機・電子機器・器・照明・カメラ・工具・文房具などの小型装着機具をワンタッチで着脱できる結着機能を有する装着ケースを備えたウエアラブル用リストバンド。
【請求項２】
１つ以上の係止爪を設けた前記小型装着部材を、前記装着ケースに形成された係止孔に挿入することで係止されて装着し、装着ケースに形成されたプッシュボタンで当該係止が解除されて脱離する結着機能を有する請求項１記載のウエアラブル用リストバンド。
【請求項３】
前記装着ケース内に、時計用ムーブメント又は／及び電子部品を収納することで、装着ケースに時計機能又は／及び電子機器機能を有する請求項１又は２記載のウエアラブル用リストバンド。
【請求項４】
前記装着ケース内に収納された電子部品と前記装着ケースに装着する小型装着機具とを電気的又は電子的に接続するための接続孔を１つ以上形成したことを特徴とする請求項３記載のウエアラブル用リストバンド。
【請求項５】
前記装着ケースに、市販の時計バンドを取り付けできる取付機能を備えたことを特徴とする請求項１から４のいずれかに記載のウエアラブル用リストバンド。
【発明の詳細な説明】
【技術分野】
【０００１】
本願発明は、腕（手首）に取り付けるリストバンドに関するものである。
【背景技術】
【０００２】
昨年（２０１３年）は、眼鏡型のコンピュータ機器が話題となったように（非特許文献１等）、今後はウエアラブル製品（身に付ける製品）が様々に開発・実用化されてくると思われる。そんな中で、リストバンドについては、以下のような現状及び課題があった。
（１）通信機、電子機器、器、照明、カメラ、工具、文房具など機具を腕に着けようとすると、それぞれの機器や道具を腕に着けるための時計のようなバンド構造をもったものを開発しなければならなかった。
（２）既に腕時計を身に着けている人にとっては、もう一つの機具を同じ腕に着けるのは難しく、反対の腕に付けるなどしなければならない。
（３）腕に取り付ける機能は時計だけでなく、様々な機能の装着が要望されるようになり、その使用される状況や個人の使用したい機能によって、取り替えることが求められている。
（４）また、機能機器と装着機能が一体化している場合はリストバントとしての個人のデザイン的表現が難しく、好みのリストバンドを多くの中から選択することができない。
（５）身に着ける機具が充電が必要な場合はそのリストバンドは使用できなくなるため、充電中の他の用途にバンドを使用することはない。
【先行技術文献】
【非特許文献】
【０００３】
【非特許文献１】日経産業新聞（２０１３年７月４日：第１０６５３号）第１面「身にまとうデジタル（１）」［発行所  日本経済新聞社］
【発明の概要】
【発明が解決しようとする課題】
【０００４】
以上のことから、機能機具部分とリストバンドとが結着機能によって容易に着脱できるウエアラブ用リストバンドが求められる。
【０００５】
そこで、本願発明者は、機能機具部分とリストバンドとが結着機能によって容易に着脱できるウエアラブ用リストバンドの提供を目的として、本願発明を完成するに至った。
【課題を解決するための手段】
【０００６】
上記目的を達成するために、本願発明の第１の発明は、時計の他に、通信機・電子機器・器・照明・カメラ・工具・文房具などの小型装着機具をワンタッチで着脱できる結着機能を有する装着ケースを備えたウエアラブル用リストバンドである。
第２の発明は、１つ以上の係止爪を設けた前記小型装着部材を、前記装着ケースに形成された係止孔に挿入することで係止されて装着し、装着ケースに形成されたプッシュボタンで当該係止が解除されて脱離する結着機能を有する同ウエアラブル用リストバンドである。
ここで、「係止爪」と「係止孔」による係止には、例えば、時計バンドの中留構造として利用されているものを転用する。すなわち、プッシュボタンを構成する係止片どうしを弾性部材を介在させて外側へ付勢することで、係止孔に表出する係止片の係止突起を係止爪に係止させるとともに、プッシュボタンを押圧して係止片どうしを近接させることで、その係止状態を解除させるものである。
第３の発明は、前記装着ケース内に、時計用ムーブメント又は／及び電子部品を収納することで、装着ケースに時計機能又は／及び電子機器機能を有する同ウエアラブル用リストバンドである。
ここで、「電子部品」には、電子機器の基板の他に、電池（バッテリー）やデータ記憶装置（メモリー）のようなものも含む。
第４の発明は、前記装着ケース内に収納された電子部品と前記装着ケースに装着する小型装着機具とを電気的又は電子的に接続するための接続孔を１つ以上形成したことを特徴とする同ウエアラブル用リストバンドである。
第５の発明は、前記装着ケースに、市販の時計バンドを取り付けできる取付機能を備えたことを特徴とする同ウエアラブル用リストバンドである。
【発明の効果】
【０００７】
本願発明によれば、以下のような効果を有する。
（１）時計をはじめ、通信機、電子機器、器、照明、カメラ、工具、文房具などの機具を腕にワンタッチで着脱できる結着機能を有する装着ケースを備えることで、装着ケースがプラットフォームとなり、機能機具や装飾機具などを容易に着脱できて、実用性・利便性の高いウエアラブル用リストバンドを提供できる。
（２）時計バンドで使用されるプッシュボタン構造をウエアラブル用リストバンドに応用して、機具をプラットフォームたる装着ケースにワンタッチで着脱できるので、ウエアラブル用リストバンドの結着機能を簡易且つ確実に実現できる。
（３）装着ケース内に時計用のムーブメントやマイコンなどの電子機器の基板を収納することで、装着ケースに機具が装着されていなくても時計や電子機器の機能を実行できる。なお、装着ケース内には機能を搭載せず、機具の着脱だけに使用することもできる。
（４）装着ケースに結着機能用の係止孔だけでなく、装着ケース内の電子部品と装着する機具とを電気的又は電子的に接続するための接続孔を１つ以上設けることで、着脱と電気・電子的結束が別になり、結着強度と電気・電子的結束信頼性を確保することができる。
（５）前記装着ケースに、市販の時計バンドを取り付けできる取付機能を備えることで、市販の一般的な時計用のバンドを装着できるので、個人の好みに合わせたリストバンドのデザインとすることができる。
（６）充電の必要な機具はその機具だけを外して充電し、その間、別の機具を装着して、使用することができる。
【図面の簡単な説明】
【０００８】
【図１】ウエアラブル用リストバンドの装着ケース（その１）を示す説明図（１）。
【図２】ウエアラブル用リストバンドの装着ケース（その１）を示す説明図（２）。
【図３】ウエアラブル用リストバンドの装着ケース（その２）を示す説明図。
【図４】ウエアラブル用リストバンドの使用例（ケース）を示す説明図（１）。
【図５】ウエアラブル用リストバンドの使用例（アクセサリーパーツ）を示す説明図（２）。
【図６】ウエアラブル用リストバンドの使用例（文房具）を示す説明図（３）。
【図７】ウエアラブル用リストバンドの使用例（スマートキー）を示す説明図（４）。
【図８】ウエアラブル用リストバンドの使用例（工具）を示す説明図（５）。
【図９】ウエアラブル用リストバンドの使用例（小物入れ）を示す説明図（６）。
【図１０】ウエアラブル用リストバンドの使用例（ルーペ付きウオッチ）を示す説明図（７）。
【図１１】ウエアラブル用リストバンドの使用例（ＩＴ端末）を示す説明図（８）。
【図１２】ウエアラブル用リストバンドのその他の使用例を示す説明図（９）。
【図１３】ウエアラブル用リストバンドのその他の使用例を示す説明図（１０）。
【発明を実施するための形態】
【０００９】
本願発明の実施形態を図面に基づいて説明する。
図１及び図２は、本願発明に係るウエアラブル用リストバンドの装着ケース（その１）を示す説明図であり、図１は外観斜視図、図２は設計図である。
この装着ケース１０は、結着機能となる略十字形の結着用凹部に係止孔２０と、この係止孔２０に装着された小型装着機具（図示省略）を脱離するプッシュボタン３０を備えたプラットフォームである。
【００１０】
また、装着ケース１０は、結着機能の他に、時計用ムーブメントや電子部品を収納する収納スペース及び表示スペース４０を備える。
さらに、装着ケース１０は、市販の時計バンドを取り付けできる取付機能として、嵌合部５０を備える。
【００１１】
図３は、本願発明に係るウエアラブル用リストバンドの装着ケース（その２）を示す説明図（設計図）である。図１及び図２の装着ケース（その１）と異なるのは、装着ケース（その２）は、時計用ムーブメントや電子部品を収納する収納スペース及び表示スペース４０を備えておらず、専ら結着機能と取付機能のみを備えている点である。
【００１２】
図４〜図１２は、本願発明に係るウエアラブル用リストバンドの具体的な使用例を示す説明図である。ここでは、プラットフォームである装着ケースに装着する小型装着機具８０に１つ以上の係止爪６０（略Ｕ字型）を設けて、この係止爪を装着ケースの結着用凹部にある係止孔に挿入することで係止されて装着される。
【００１３】
具体的には、図４は、ケース８０ａ（コイン・薬・指輪・ＵＳＢ・ＳＤ・飴などを収納する）を装着するウエアラブル用リストバンドを図示したものである。
図５は、アクセサリーパーツ８０ｂ，８０ｃを装着するウエアラブル用リストバンドを図示したものである。
図６は、文房具８０ｄ（ペン）を装着するウエアラブル用リストバンドを図示したものである。
図７は、スマートキー８０ｅを装着するウエアラブル用リストバンドを図示したものである。
図８は、工具８０ｆ（万能ナイフ）を装着するウエアラブル用リストバンドを図示したものである。
図９は、小物入れ８０ｇ（コイン・薬・指輪・ＵＳＢ・ＳＤ・飴などを収納する）を装着するウエアラブル用リストバンドを図示したものである。
図１０は、ルーペ付きウオッチ８０ｈを装着するウエアラブル用リストバンドを図示したものである。
図１１は、ＩＴ端末８０ｉ（小型のタブレット端末）を装着するウエアラブル用リストバンドを図示したものである。
図１２は、その他の機具を装着するウエアラブル用リストバンドを図示したものである。但し、ウエアラブル用リストバンドに装着される機具は、図示のものに限定されない。
【００１４】
図１３は、本願発明に係るウエアラブル用リストバンドの装着ケースと小型装着機具との装着について説明したものである。
図１３の「４点式」は、「係止爪６０」とは別に「接続端子７０」を設けて、装着ケース１０に形成する係止孔２０と接続孔２５を別々にしたものである。
図１３の「２点式」は、「係止爪６０」に「接続端子７０」を備えて、装着ケース１０に形成する係止孔２０と接続孔２５を共通にしたものである。
【産業上の利用可能性】
【００１５】
本願発明は、ウエアラブル用リストバンドに広く利用できるものである。
【符号の説明】
【００１６】
１０  装着ケース
２０  係止孔
２５  接続孔
３０  プッシュボタン
４０  収納・表示スペース
５０  嵌合部
６０  係止爪
７０  接続端子
８０  小型装着機具
【図１】
2015202214.tif 000003
【図２】
2015202214.tif 000004
【図３】
2015202214.tif 000005
【図４】
2015202214.tif 000006
【図５】
2015202214.tif 000007
【図６】
2015202214.tif 000008
【図７】
2015202214.tif 000009
【図８】
2015202214.tif 000010
【図９】
2015202214.tif 000011
【図１０】
2015202214.tif 000012
【図１１】
2015202214.tif 000013
【図１２】
2015202214.tif 000014
【図１３】
2015202214.tif 000015